(57)【要約】【課題】  磁気テープの走行系や磁気ヘッドの配置を複雑にすることなく両面記録再生可能な磁気テープカートリッジ及び磁気テープドライブを提供する。【解決手段】  本発明に係る磁気テープカートリッジ１０は、両面に磁性層が形成された磁気テープＴを巻回した一対のテープリール１２ａ，１２ｂを備え、一対のテープリール１２ａ，１２ｂ間に、磁気テープＴの一方の面に磁気記録再生をする第１の磁気ヘッド１４ａと磁気テープＴの他方の面に磁気記録再生をする第２の磁気ヘッド１４ｂとが設けられ、一対のテープリール１２ａ，１２ｂを回動させて磁気テープＴを搬送させる際に、第１の磁気ヘッド１４ａ又は第２の磁気ヘッド１４ｂが一対のテープリール１２ａ，１２ｂの回動させる方向に応じてに磁気テープＴに磁気記録再生可能に摺接するように配置されている。【選択図】  図１
2005251323.tif 000002
【特許請求の範囲】
【請求項１】
両面に磁性層が形成された磁気テープと、
前記磁気テープを巻回した一対のテープリールと、
前記テープリールを収容するカートリッジケースとを備え、
前記一対のテープリール間に、前記磁気テープの一方の面に磁気記録再生をする第１の磁気ヘッドと前記磁気テープの他方の面に磁気記録再生をする第２の磁気ヘッドとが設けられ、前記一対のテープリールを回動させて前記磁気テープを前記一対のテープリール同士の間で搬送させる際に、前記第１の磁気ヘッド又は前記第２の磁気ヘッドが前記一対のテープリールの回動させる方向に応じてに前記磁気テープに磁気記録再生可能に摺接するように配置されていることを特徴とする磁気テープカートリッジ。
【請求項２】
請求項１に記載の磁気テープカートリッジの磁気テープドライブであって、
前記一対のテープリールを回動可能に支持する一対のスピンドルを備え、
前記第１の磁気ヘッド及び前記第２の磁気ヘッドに接続可能で、磁気記録時に記録電流を供給し、磁気再生時に再生電圧を検出するための一対のコネクタ部が設けられていることを特徴とする磁気テープドライブ。
【発明の詳細な説明】
【技術分野】
【０００１】
本発明は、磁気テープの両面に記録再生可能な磁気ヘッドを内蔵した磁気テープカートリッジ及びその磁気テープカートリッジに用いる磁気テープドライブに関する。
【背景技術】
【０００２】
現在、磁気記録システムの高容量化に伴い、磁気テープの記録容量を増大させるため、例えば、磁気テープの長尺化、磁気テープの厚さの薄手化の傾向にある。
【０００３】
また、磁気テープの記録容量を増大させるため、非磁性層が塗布されている磁気テープの裏面側にも、表面側と同様に磁性層を塗布し、磁気テープの両面において磁気記録再生ができるようにすることで記録容量の増大させることが提案されている（例えば、特許文献１参照）。
【０００４】
【特許文献１】特開平６−２９０５１９号公報
【発明の開示】
【発明が解決しようとする課題】
【０００５】
しかし、磁気テープの両面において磁気記録再生ができるようにした場合、磁気テープの走行系や磁気ヘッドの配置が複雑になるため、実用化されていなかった。
【０００６】
本発明は、このような事情に鑑みてなされたもので、その目的は、磁気テープの走行系や磁気ヘッドの配置を複雑にすることなく両面記録再生可能な磁気テープカートリッジ及び磁気テープドライブを提供することにある。
【課題を解決するための手段】
【０００７】
本発明の上記目的は、両面に磁性層が形成された磁気テープと、磁気テープを巻回した一対のテープリールと、テープリールを収容するカートリッジケースとを備え、一対のテープリール間に、磁気テープの一方の面に磁気記録再生をする第１の磁気ヘッドと磁気テープの他方の面に磁気記録再生をする第２の磁気ヘッドとが設けられ、一対のテープリールを回動させて磁気テープを一対のテープリール同士の間で搬送させる際に、第１の磁気ヘッド又は第２の磁気ヘッドが一対のテープリールの回動させる方向に応じて磁気テープに磁気記録再生可能に摺接するように配置されていることを特徴とする磁気テープカートリッジによって達成される。
【０００８】
この磁気テープカートリッジは、両面に磁性層が形成された磁気テープと、この磁気テープの一方の面に磁気記録再生をする第１の磁気ヘッドと磁気テープの他方の面に磁気記録再生をする第２の磁気ヘッドとを備えている。また、一対のテープリールを回動させて磁気テープを一対のテープリール同士の間で搬送させる際に、磁気テープが一対のテープリールの回動させる方向に応じて第１の磁気ヘッド又は第２の磁気ヘッドに摺動するように構成されている。つまり、磁気テープカートリッジの磁気記録再生時には、一対のテープリールの回動方向を磁気記録再生装置側のスピンドルによって調整することで、磁気テープの両面における任意の面に第１の磁気ヘッド又は第２の磁気ヘッドによって磁気記録再生を行うことができる。このため、磁気ヘッドを備えていない従来の両面記録再生用の磁気テープカートリッジに比べて、磁気記録再生装置側における磁気テープの磁気テープの走行系や磁気ヘッドの配置を簡単にすることができる。
【０００９】
また、本発明の上記目的は、上記磁気テープカートリッジの磁気テープドライブであって、一対のテープリールを回動可能に支持する一対のスピンドルを備え、第１の磁気ヘッド及び第２の磁気ヘッドに接続可能で、磁気記録時に記録電流を供給し、磁気再生時に再生電圧を検出するための一対のコネクタ部が設けられていることを特徴とする磁気テープドライブによって達成される。
【００１０】
この磁気テープドライブは、本発明に係る磁気テープカートリッジを装填した際に、一対のスピンドルによって一対のテープリールを回転可能に支持するとともに、第１の磁気ヘッド及び第２の磁気ヘッドに接続し、磁気記録時の記録電流の供給と、磁気再生時の再生電圧を検出する一対のコネクタ部が備えられている。磁気テープカートリッジの磁気記録再生時には、一対のスピンドルによって一対のテープリールを所定の回転方向に回転させることで、磁気テープのいずれか一方の面の磁性層に磁気カートリッジに備えられた第１の磁気ヘッド又は第２の磁気ヘッドで磁気記録再生を行うことができる。このため、両面記録再生用の磁気テープに対応した磁気ヘッドを備える必要がなく、両面記録再生用の磁気テープを磁気記録再生するための磁気ヘッドの配置が複雑になる不具合が発生しないうえ、磁気テープの走行系が簡単である。
【発明の効果】
【００１１】
本発明によれば、磁気テープの走行系や磁気ヘッドの配置を複雑にすることなく両面記録再生可能な磁気テープカートリッジ及び磁気テープドライブを提供できる。
【発明を実施するための最良の形態】
【００１２】
以下、本発明の実施形態を図面に基づいて詳しく説明する。
図１は、本発明に係る磁気テープカートリッジ及び磁気テープドライブの一実施形態を説明する斜視図である。
【００１３】
図１に示すように、磁気テープカートリッジ１０は、磁気テープＴを巻回した一対のテープリール１２ａ，１２ｂと、一対のテープリール１２ａ，１２ｂを収容するカートリッジケースとを備えている。
【００１４】
本発明に係る磁気テープカートリッジに用いられる磁気テープＴは、両面に磁性層を有し、両面いずれの磁性層に対しても磁気記録及び磁気再生（以下、磁気記録再生という。）が可能なものである。
【００１５】
一対のテープリール１２ａ，１２ｂには、磁気テープＴを巻き付ける円筒形状のハブ１３ａ，１３ｂがそれぞれ設けられている。ハブ１３ａ，１３ｂの両端面にはフランジが形成され、両方のフランジによってハブ１３ａ，１３ｂに巻き取る磁気テープＴの幅方向位置を規制している。
【００１６】
ハブ１３ａ，１３ｂの内周面にはスピンドル開孔がそれぞれ設けられている。一対のテープリール１２ａ，１２ｂは、スピンドル開孔に後述する磁気テープドライブのスピンドルがそれぞれ挿入され、スピンドルによって回動可能に支持される構成である。
【００１７】
磁気テープＴは、一対のテープリール１２ａ，１２ｂの回動に伴い、一対のテープリール１２ａ，１２ｂ同士の間を搬送されるとともに、ハブ１３ａ又はハブ１３ｂの外周面に巻き重ねられる。
【００１８】
磁気テープカートリッジ１０において、一対のテープリール１２ａ，１２ｂの間に、磁気テープＴの一方の面に磁気記録再生をする第１の磁気ヘッド１４ａと、磁気テープＴの他方の面に磁気記録再生をする第２の磁気ヘッド１４ｂとが設けられている。
【００１９】
第１の磁気ヘッド１４ａと第２の磁気ヘッドは１４ｂとは、磁気テープＴに当接するそれぞれ先端部が、一対のテープリール１２ａ，１２ｂの間で搬送される磁気テープＴを挟んで、対向するように配置されている。
【００２０】
磁気テープドライブ２０は、ドライブ本体２１を備え、このドライブ本体２１において、磁気テープカートリッジ１０が装填される上面２１ａには、一対のスピンドル２２ａ，２２ｂが設けられている。一対のスピンドル２２ａ，２２ｂは、ドライブ本体２１に備えられた図示しない駆動機構によって磁気テープカートリッジ１０における一対のテープリール１２ａ，１２ｂの周方向に回動させることができる。
【００２１】
また、磁気テープドライブ２０には、磁気テープカートリッジ１０における第１の磁気ヘッド１４ａ及び第２の磁気ヘッド１４ｂにそれぞれ接続可能で、磁気記録時に記録電流を供給し、磁気再生時に再生電圧を検出するための一対のコネクタ部２３ａ，２３ｂが設けられている。
【００２２】
図２は、図１に示す磁気テープカートリッジを磁気テープドライブに装填した状態において、矢印Ａ−Ａ線方向にみた断面図である。
図１及び図２に示すように、磁気テープドライブ２０に磁気テープカートリッジ１０を装填した際に、磁気テープドライブ２０のコネクタ部２３ａ，２３ｂが、磁気テープカートリッジ１０のカートリッジケース１１の下側面（図１において下方の面）に形成されたコネクタ挿入孔１５ａ，１５ｂに挿通され、カートリッジケース１１の内部の第１の磁気ヘッド１４ａと第２の磁気ヘッド１４ｂとに接続される。
【００２３】
磁気テープドライブ２０のドライブ本体２１の内部には、磁気記録時に、コネクタ部２３ａ，２３ｂから第１の磁気ヘッド１４ａ及び第２の磁気ヘッド１４ｂへ電流を供給し、また、磁気再生時に、コネクタ部２３ａ，２３ｂから第１の磁気ヘッド１４ａ及び第２の磁気ヘッド１４ｂの再生電圧を検出するための信号配線２４ａ，２４ｂが形成されている。信号配線２４ａ，２４ｂは、単一の回路基板上に構成されていてもよい。
【００２４】
また、磁気テープドライブ２０のコネクタ部２３ａ，２３ｂは、本実施形態のようにドライブ本体２１において磁気テープカートリッジ側へ突出するピン状の構成に限られるものではない。例えば、プリント基板上の半田露出面同士を接触させ接点とする方式としてもよい。
【００２５】
次に、図３及び図４を参照して、磁気テープカートリッジにおける第１の磁気ヘッドと第２の磁気ヘッドの配置を説明する。
図３は、磁気テープの一方の面に第１の磁気ヘッドで磁気記録再生するときの状態を示す図である。図４は、磁気テープの他方の面に第２の磁気ヘッドで磁気記録再生するときの状態を示す図である。
【００２６】
図３に示すように、一対のテープリール１２ａ，１２ｂのうち図中左側に全ての磁気テープＴが巻き取られている状態で、一対のテープリール１２ａ，１２ｂをともに図中時計回りに回動させる場合には、磁気テープＴが第１の磁気ヘッド１４ａによって磁気記録再生が行われる。このとき、磁気記録再生の進行とともに磁気テープＴが右側のテープリール１２ｂに巻回されていくが、磁気ヘッド１４ａが磁気テープＴと常に摺接するように配置されている。
【００２７】
また、図４に示すように、一対のテープリール１２ａ，１２ｂのうち図中左側に全ての磁気テープＴが巻き取られている状態で、一対のテープリール１２ａ，１２ｂをともに図中時計回りに対して反対側に回動させる場合には、磁気テープＴが第２の磁気ヘッド１４ｂによって磁気記録再生が行われる。このとき、磁気記録再生の進行とともに磁気テープＴが右側のテープリール１２ｂに巻回されていくが、磁気ヘッド１４ｂが磁気テープＴと常に摺接するように配置されている。
【００２８】
このように、本実施形態の磁気テープカートリッジ１０は、一対のテープリール１３ａ，１３ｂを回動させて磁気テープＴを一対のテープリール１３ａ，１３ｂ同士の間で搬送させる際に、第１の磁気ヘッド１４ａ又は第２の磁気ヘッド１４ｂが一対のテープリール１３ａ，１３ｂの回動させる方向に応じて磁気テープＴに磁気記録再生可能に摺接する構成である。
【００２９】
本実施形態の磁気テープカートリッジ１０においては、ハブ１３ａ，１３ｂの直径を１０ｍｍ〜４０ｍｍとし、一対のテープリールに完全に磁気テープＴを巻き取った状態の最大巻き径を３０ｍｍ〜１００ｍｍとしたとき、第１の磁気ヘッド１４ａと第２の磁気ヘッド１４ｂとの間隔ｄを１０ｍｍ〜４０ｍｍとすることができる。
【００３０】
次に、図５（ａ）から図５（ｇ）を参照して、磁気テープの両面に磁気記録再生を行う手順を説明する。図５（ａ）から図５（ｇ）は、磁気テープの両面に磁気記録再生を行う手順を示す説明図である。なお、以下、すでに説明した部材などと同等な構成・作用を有する部材等については、図中に同一符号又は相当符号を付すことにより、説明を簡略化或いは省略する。
【００３１】
まず、図５（ａ）に示すように、左側のテープリール１２ａに磁気テープＴを完全に巻き取った状態で、一対のテープリール１２ａ，１２ｂをともに図５中時計回りに回動させ、磁気テープＴを一対のテープリール１２ａ，１２ｂ同士の間に搬送させる。このとき、第１の磁気ヘッド１４ａが磁気テープＴの一方の面と摺接し、磁気記録再生を行うことができる。
【００３２】
磁気テープＴの磁気記録再生の進行とともに、図５（ｂ）に示すように、右側のテープリール１２ｂに磁気テープＴが巻回されて左側のテープリール１２ａの巻き径が小さくなるとともに、右側のテープリール１２ｂの巻き径が大きくなる。このとき、一対のテープリール１２ａ，１２ｂの間における磁気テープＴの搬送される向きも徐々に変化するが、第１の磁気ヘッド１４ａが常に磁気テープＴに摺接している。
【００３３】
図５（ｃ）に示すように、右側のテープリール１２ｂに磁気テープＴを完全に巻き取った後、一対のテープリール１２ａ，１２ｂの回動を停止し、左側のテープリール１２ａを停止前と同じ図中時計回りに回動し、且つ、右側のテープリール１２ｂを（停止前とは反対側である、）図中時計回りに対して反対側に回動させる。そして、図５（ｄ）に示すように、磁気テープＴを右側のテープリール１２ｂから左側のテープリール１２ａへ向って搬送させる。このとき、磁気テープＴは、右側のテープリール１２ｂの巻き面における上側位置（図５において上方側の面）から左側のテープリール１２ａの巻き面における下側位置（図５において下方側の面）に向って搬送される。すると、磁気テープＴの搬送方向が、磁気記録再生時における磁気テープＴの搬送方向に対して傾斜した状態となり、磁気テープＴが第１の磁気ヘッド１４ａ及び第２の磁気ヘッド１４ｂのうちいずれにも摺接しないように一対のテープリール１２ａ，１２ｂの間を移動する。
【００３４】
次に、図５（ｅ）に示すように、左側のテープリール１２ａに磁気テープＴを完全に巻き取った状態で、一対のテープリール１２ａ，１２ｂをともに図５中時計回りとは反対側に回動させ、磁気テープＴを一対のテープリール１２ａ，１２ｂ同士の間に搬送させる。このとき、第２の磁気ヘッド１４ｂが磁気テープＴの他方の面と摺接し、磁気記録再生を行うことができる。
【００３５】
磁気テープＴの磁気記録再生の進行とともに、図５（ｆ）に示すように、右側のテープリール１２ｂに磁気テープＴが巻回されて左側のテープリール１２ａの巻き径が小さくなるとともに、右側のテープリール１２ｂの巻き径が大きくなる。このとき、一対のテープリール１２ａ，１２ｂの間における磁気テープＴの搬送される向きも徐々に変化するが、第２の磁気ヘッド１４ｂが常に磁気テープＴに摺接している。
【００３６】
図５（ｇ）に示すように、右側のテープリール１２ｂに磁気テープＴを完全に巻き取った後、一対のテープリール１２ａ，１２ｂの回動を停止し、左側のテープリール１２ａを停止前と同じ図中時計回りの反対側に回動し、且つ、右側のテープリール１２ｂを（停止前とは反対側である、）図中時計回りに対して反対側に回動させる。
【００３７】
そして、磁気テープＴを右側のテープリール１２ｂから左側のテープリール１２ａへ向って搬送させる。このとき、磁気テープＴは、右側のテープリール１２ｂの巻き面における下側位置（図５において下方側の面）から左側のテープリール１２ａの巻き面における上側位置（図５において上方側の面）に向って搬送される。すると、磁気テープＴの搬送方向が、磁気記録再生時における磁気テープＴの搬送方向に対して傾斜した状態となり、磁気テープＴが第１の磁気ヘッド１４ａ及び第２の磁気ヘッド１４ｂのうちいずれにも摺接しないように一対のテープリール１２ａ，１２ｂの間を移動する。そして、磁気テープカートリッジ１０が図５（ａ）で示した状態となる。
【００３８】
上記のように、本発明に係る磁気テープカートリッジ１０は、両面に磁性層が形成された磁気テープＴと、この磁気テープＴの一方の面に磁気記録再生をする第１の磁気ヘッド１４ａと磁気テープＴの他方の面に磁気記録再生をする第２の磁気ヘッド１４ｂとを備えている。また、一対のテープリール１２ａ，１２ｂを回動させて磁気テープＴを一対のテープリール１２ａ，１２ｂ同士の間で搬送させる際に、磁気テープＴが一対のテープリール１２ａ，１２ｂの回動させる方向に応じて第１の磁気ヘッド１４ａ又は第２の磁気ヘッド１４ｂに摺動するように構成されている。つまり、磁気テープカートリッジ１０の磁気記録再生時には、一対のテープリール１２ａ，１２ｂの回動方向を磁気記録再生装置（図２に示す磁気テープドライブ２０参照）側のスピンドル２２ａ，２２ｂによって調整することで、磁気テープＴの両面における任意の面に第１の磁気ヘッド１４ａ又は第２の磁気ヘッド１４ｂによって磁気記録再生を行うことができる。このため、磁気ヘッドを備えていない従来の両面記録再生用の磁気テープカートリッジに比べて、磁気記録再生装置側における磁気テープの磁気テープの走行系や磁気ヘッドの配置を簡単にすることができる。
【００３９】
また、上記の磁気テープドライブ２０は、本発明に係る磁気テープカートリッジ１０を装填した際に、一対のスピンドル２２ａ，２２ｂによって一対のテープリール１２ａ，１２ｂを回転可能に支持するとともに、第１の磁気ヘッド１４ａ及び第２の磁気ヘッド１４ｂに接続し、磁気記録時の記録電流の供給と、磁気再生時の再生電圧を検出する一対のコネクタ部２３ａ，２３ｂが備えられている。磁気テープカートリッジ１０の磁気記録再生時には、一対のスピンドル２２ａ，２２ｂによって一対のテープリール１２ａ，１２ｂを所定の回転方向に回転させることで、磁気テープＴのいずれか一方の面の磁性層に、磁気カートリッジ１０に備えられた第１の磁気ヘッド１４ａ又は第２の磁気ヘッド１４ｂで磁気記録再生を行うことができる。このため、両面記録再生用の磁気テープＴに対応した磁気ヘッドを備える必要がなく、両面記録再生用の磁気テープＴを磁気記録再生するための磁気ヘッドの配置が複雑になる不具合が発生しないうえ、磁気テープＴの走行系が簡単である。
【図面の簡単な説明】
【００４０】
【図１】本発明に係る磁気テープカートリッジ及び磁気テープドライブの一実施形態を説明する斜視図である。
【図２】図１に示す磁気テープカートリッジを磁気テープドライブに装填した状態において、矢印Ａ−Ａ線方向にみた断面図である。
【図３】磁気テープの一方の面に第１の磁気ヘッドで磁気記録再生するときの状態を示す図である。
【図４】磁気テープの他方の面に第２の磁気ヘッドで磁気記録再生するときの状態を示す図である。
【図５】磁気テープの両面に磁気記録再生を行う手順を示す説明図である。
【符号の説明】
【００４１】
１０    磁気テープカートリッジ
１２ａ，１２ｂ    テープリール
１４ａ    第１の磁気ヘッド
１４ｂ    第２の磁気ヘッド
２０    磁気テープドライブ
２２ａ，２２ｂ    スピンドル
２３ａ，２３ｂ    コネクタ部
【図１】
2005251323.tif 000003
【図２】
2005251323.tif 000004
【図３】
2005251323.tif 000005
【図４】
2005251323.tif 000006
【図５】
2005251323.tif 000007